(57)【要約】【課題】鍼用保持具構造において、肉体的な負担の軽減を図るために、鍼の直径をより細くした場合でも、鍼の刺入時に鍼が鍼管内で撓むのを抑制して鍼を直線状に保持することにある。【解決手段】保持具本体（６）には、内部で軸方向に貫通する鍼挿通用孔部（７）を形成する。鍼挿通用孔部（７）は、鍼（１）を挿入させる鍼挿入用案内孔（８）と、鍼（１）の刺入時に鍼（１）を直線状に保持するように鍼挿入用案内孔（８）よりも小径の鍼保持用孔（９）とを備える。保持具本体（６）は、平面視で円弧形状の複数の保持部（１２・１３）に分割して構成される。隣接する一方の保持部（１２）と他方の保持部（１３）とを連結する枢支機構（１４）を設けている。【選択図】図１
2015100526.tif 000002
【特許請求の範囲】
【請求項１】
皮膚に刺入される鍼を保持する保持具本体を備えた鍼用保持具構造において、前記保持具本体には内部で軸方向に貫通する鍼挿通用孔部を形成し、前記鍼挿通用孔部は、前記鍼を挿入させる鍼挿入用案内孔と、前記鍼の刺入時に前記鍼を直線状に保持するように前記鍼挿入用案内孔よりも小径の鍼保持用孔とを備え、前記保持具本体を平面視で円弧形状の複数の保持部に分割して構成し、隣接する一方の前記保持部と他方の前記保持部とを連結する枢支機構を設けたことを特徴とする鍼用保持具構造。
【請求項２】
前記枢支機構は、蝶番からなることを特徴とする請求項１に記載の鍼用保持具構造。
【請求項３】
前記鍼挿入用案内孔は、前記鍼の刺入時に前記鍼の鍼柄の挿入を許容して保持する開口側孔を備えることを特徴とする請求項１に記載の鍼用保持具構造。
【発明の詳細な説明】
【技術分野】
【０００１】
この発明は、鍼用保持具構造に係り、特に鍼術に用いられる鍼を保持する鍼用保持具構造に関する。 
【背景技術】
【０００２】
鍼を用いて身体の皮膚の治療点（経穴：つぼ）に刺激を与えることで、多様な疾病への治療的な介入や健康増進を可能とする鍼術がある。
この鍼術には、鍼柄を後端に備えた所定長さの細い鍼体の先端を皮膚に刺入し、鍼柄を皮膚の外部に露出した状態にする技法がある。
また、管鍼法としては、細い鍼管を補助具として用い、鍼を皮膚に刺入する方法がある。この場合、鍼の直径は、通常、０．１ｍｍ程度である。また、鍼柄の直径は、２ｍｍ程度である。一方で、鍼を挿通させる鍼管の鍼挿通用孔の内径は、軸方向で先端部から後端端まで同一である。
このような管鍼法としては、以下の先行技術文献がある。 
【先行技術文献】
【特許文献】
【０００３】
【特許文献１】特開２００６−１５８６１６号公報   特許文献１に記載の鍼管付き鍼炎用鍼は、鍼柄の周囲に１箇所以上の突起が存在する掛止部を鍼軸線方向の二箇所に設け、鍼を鍼管に保持するとともに、鍼体の先端を鍼管の内空中に固定する構造である。
【発明の概要】
【発明が解決しようとする課題】
【０００４】
ところが、従来、鍼管の鍼挿通用孔の内径を軸方向で先端部から後端端まで同一に形成している場合に、鍼の直径が０．１ｍｍ程度のものでは問題がないが、肉体的な負担の軽減（例えば、細い鍼によって内出血が減少する等）を図るために、鍼の直径を０．１ｍｍよりも細くしたい場合に（例えば、０．０３ｍｍ程度）、鍼の外周面と鍼管の鍼挿通用孔の内周面との間に大きな間隙が生じているため、鍼を皮膚に刺入しようとしたときに、その刺入抵抗によって鍼が鍼管内で大きく撓んで不安定な形状になり、そして、このように、鍼が鍼管内で大きく撓んだときには、施術者の意図する鍼の刺入角を得ることが難しかった。
また、鍼の鍼柄の直径（例えば、２ｍｍ程度）が鍼管の鍼挿通用孔の内径よりも大きい場合に、鍼柄を鍼管内に挿入することができず、鍼管の長さによっては、鍼の長さを必要以上に長いものを用いらなければならず、このため、その鍼を皮膚に刺入しようとしたときに、その刺入抵抗によって鍼が鍼管内で大きく撓んで不安定な形状になり易いという不都合があった。
【０００５】
そこで、この発明は、肉体的な負担の軽減を図るために、鍼の直径をより細くした場合でも、鍼の刺入時に鍼が鍼管内で撓むのを抑制して直線状に保持し、また、施術者の意図する鍼の刺入角を容易に得て、さらに、刺入後に鍼用保持具を容易に取り外すことができる鍼用保持具構造を提供することを目的とする。
【課題を解決するための手段】
【０００６】
この発明は、皮膚に刺入される鍼を保持する保持具本体を備えた鍼用保持具構造において、前記保持具本体には内部で軸方向に貫通する鍼挿通用孔部を形成し、前記鍼挿通用孔部は、前記鍼を挿入させる鍼挿入用案内孔と、前記鍼の刺入時に前記鍼を直線状に保持するように前記鍼挿入用案内孔よりも小径の鍼保持用孔とを備え、前記保持具本体を平面視で円弧形状の複数の保持部に分割して構成し、隣接する一方の前記保持部と他方の前記保持部とを連結する枢支機構を設けたことを特徴とする。
【発明の効果】
【０００７】
この発明は、肉体的な負担の軽減を図るために、鍼の直径をより細くした場合でも、鍼の刺入時に鍼が鍼管内で撓むのを抑制して直線状に保持し、また、施術者の意図する鍼の刺入角を容易に得て、さらに、刺入後に鍼用保持具を容易に取り外すことができる。
【図面の簡単な説明】
【０００８】
【図１】図１は鍼用保持具（鍼管）の鍼挿通用孔部に鍼を挿入した状態の断面図である。（実施例１）
【図２】図２は鍼の側面図である。（実施例１）
【図３】図３は鍼用保持具の断面図である。（実施例１）
【図４】図４は図３の矢印ＩＶによる鍼用保持具の拡大底面図である。（実施例１）
【図５】図５は鍼用保持具を分割した一側保持部と他側保持部とを連結する枢支機構（蝶番）を示す拡大斜視図である。（実施例１）
【図６】図６は一側保持部と他側保持部とを開動作させるための一対の磁石を設けた鍼用保持具の拡大底面図である。（実施例１）
【図７】図７（Ａ）は鍼用保持具を用いて鍼を皮膚に刺入した際の断面図である。図７（Ｂ）は鍼を皮膚に刺入した後で鍼用保持具を取り外す際の側面図である。（実施例１）
【図８】図８は図７（Ｂ）において鍼を皮膚に刺入した後で鍼用保持具を取り外す際の平面図である。（実施例１）
【図９】図９は他の枢支機構を設けた鍼用保持具の平面図である。（実施例２）
【図１０】図１０は図９の他の枢支機構を設けた鍼用保持具の側面図である。（実施例２）
【発明を実施するための形態】
【０００９】
この発明は、肉体的な負担の軽減を図るために、鍼の直径をより細くした場合でも、鍼の刺入時に鍼が鍼管内で撓むのを抑制して直線状に保持し、また、施術者の意図する鍼の刺入角を容易に得て、さらに、刺入後に鍼用保持具を容易に取り外す目的を、鍼の刺入時に鍼を直線状に保持する鍼保持用孔を備えるとともに、鍼管としての鍼用保持具を平面視で分割して実現するものである。
【実施例１】
【００１０】
図１〜図８は、この発明の実施例１を示すものである。 
図１〜図３に示すように、鍼術に用いられる鍼１は、鍼管としての鍼用保持具２によって案内されて皮膚Ｓ（図７参照）に刺入される。
【００１１】
図２に示すように、鍼１は、鍼体３と、鍼体３の一端部（先端部）３Ａに備えられて皮膚Ｓに刺入される刺入部４と、鍼体３の他端部（後端部）３Ｂに設けられて施術者の手で持つための鍼柄５とから構成され、長さＬ１を有している。
鍼体３は、肉体的な負担の軽減（例えば、細い鍼によって内出血が減少する等）を図るために、より細くした細径の直径Ｄ１（例えば、０．０３ｍｍ程度）で、且つ長さＬ２（例えば、５０ｍｍ程度）に形成されている。
刺入部４は、鍼体３と同径の直径Ｄ１であって、且つ、皮膚Ｓへ刺入し易いように、先細りで長さＬ３の形状に形成されている。 
鍼柄５は、施術者の手で取り扱いが容易となるように、鍼体３の直径Ｄ１よりも大きな直径Ｄ２（例えば、２ｍｍ程度）で、且つ長さＬ４に形成されている。
【００１２】
図３に示すように、鍼管としての鍼用保持具２は、皮膚Ｓに刺入される鍼１を保持する保持具本体６を備える。 
この保持具本体６は、例えば、金属製やプラスチック製等で直径Ｄ３の棒状素材の軸心上に貫通する孔を形成した断面円形状の筒状体からなり、軸方向において長さＬ５で且つ内部で一端部（先端部）２Ａから他端部（後端部）２Ｂに貫通する鍼挿通用孔部７を形成している。
この鍼挿通用孔部７は、鍼１を挿入させる内径Ｄ４の鍼挿入用案内孔８と、鍼１の刺入時に鍼１を撓まさず直線状に保持するように鍼挿入用案内孔８の内径Ｄ４よりも小径の内径Ｄ５に形成された鍼保持用孔９とを備える。
【００１３】
図３に示すように、鍼挿入用案内孔８は、例えば、他端部２Ｂの端面から内径Ｄ４で且つ長さＬ６に形成された開口側孔１０と、鍼１の挿入方向に向かって漸次窄むように断面テーパ状に形成された窄み孔１１とを備える。この窄み孔１１は、開口側孔１０と鍼保持用孔９との間であって、長さＬ７に形成され、鍼保持用孔９との接続部Ｐから鍼保持用孔９の軸線ＣＬに対して角度θで後端側の開口側孔１０側へ広がるように傾斜している。 
鍼保持用孔９は、鍼１の刺入時に、鍼１の鍼体３が撓まず直線状に保持するように、鍼体３の直径Ｄ１（例えば、０．０３ｍｍ程度）よりも少しだけ大きな内径Ｄ５（例えば、０．０３５ｍｍ程度）で、且つ長さＬ８に形成されている。この鍼保持用孔８の長さＬ８は、鍼体３の長さＬ２よりも短く設定されている。
開口側孔１０は、刺入時に鍼１の鍼柄５を挿入させて直線状に保持するものであって、内径Ｄ４が鍼１の鍼柄５を挿入できるように鍼柄５の外径Ｄ２よりも少しだけ大きく設定され、且つ長さＬ６が鍼１の鍼柄５を挿入した時にこの鍼柄５の後端を外部に突出させるように鍼１の鍼柄５の長さＬ４よりも短く設定されている。
窄み孔１１は、鍼体３の鍼保持用孔９への挿入をスムーズにガイドするための長さＬ７に形成され、開口側孔１０と鍼保持用孔部９とに連通している。
なお、前記各径Ｄ１〜Ｄ５、及び前記各長さＬ１〜Ｌ８は、所望により、変更可能なものである。 
【００１４】
図４に示すように、保持具本体６は、平面視において、円弧形状の複数の保持部として、例えば、半円弧形状の一側保持部１２と半円弧形状の他側保持部１３とに分割して構成される。
図５に示すように、この一側保持部１２と他側保持部１３とは、枢支機構１４によって連結される。 
この枢支機構１４は、例えば、蝶番１５からなり、一側保持部１２と他側保持部１３とを相対的に揺動可能に支持する。 
蝶番１５は、一側保持部１２と他側保持部１３との接合部１６の一側部位１６Ａに複数個（例えば、２個）直列に配置され（図１、図３参照）、図５に示すように、一側保持部１２に固着手段で固着した一側取付片１７と、他側保持部１３に固着手段で固着した他側取付片１８と、一側取付片１７と他側保持部１８とを連結する取付ピン１９とからなる。
なお、図６に示すように、一側保持部１２と他側保持部１３との接合部１６の他側部位１６Ｂには、一側保持部１２と他側保持部１３とが施術者の手を離しても蝶番１５を中心にして自動的に揺動可能（開動作可能）となるように、同極であって反発し合う一対の一側磁石２０と他側磁石２１とを設けることも可能である。
【００１５】
次いで、この実施例１における鍼用保持具２を用いた鍼１の使用状態について説明する。 
図７（Ａ）に示すように、皮膚Ｓに鍼１を刺入する際には、先ず、鍼１の刺入部４を鍼用保持具２の開口側孔１０から挿入する。このとき、開口側孔１０の内径Ｄ４が鍼１の鍼体３の直径Ｄ１よりも大きく（Ｄ４＞Ｄ１）且つ窄み孔１１が存在することから、鍼１の鍼体３を鍼用保持具２の内部の鍼保持用孔９側へ容易に挿入することができる。
そして、鍼１の鍼体３が鍼保持用孔９に至ると、この鍼１の鍼体３が鍼保持用孔９に保持されることから、つまり、鍼体３が鍼保持用孔９の内周面に略隙間なく保持されることから、鍼１の鍼体３がスムーズに挿入することができる。
その後、鍼１が鍼柄５側から押されることで、鍼１の刺入部４が皮膚Ｓの治療点（経穴等）に刺入する。このとき、鍼１の鍼柄５が開口側孔１０内で撓むことなく直線状に保持されるとともに、鍼体３が鍼保持用孔９内で撓むことなく直線状に保持されることから、鍼１全体が撓むことなく直線状になって、鍼１の刺入動作をスムーズにすることができ、これにより、施術者の意図する鍼１の刺入角を容易に得ることができる。
そして、この鍼１の刺入部４の皮膚Ｓへの刺入時には、刺入抵抗が生じても、鍼体３が鍼保持用孔９の内周面に略隙間なく保持されることから、鍼１は、撓むことなく直線状に安定して維持される。
そして、図７（Ｂ）、図８に示すように、鍼１の刺入部４の皮膚Ｓへの刺入後は、鍼用保持具２の一側保持部１２と他側保持部１３とを蝶番１５を中心に開動作させることにより、皮膚Ｓに刺入している鍼１から鍼用保持具２を容易に取り外すことができる。
【００１６】
この結果、この実施例１では、保持具本体６には、内部で軸方向に貫通する鍼挿通用孔部７を形成する。この鍼挿通用孔部７は、鍼１を挿入させる鍼挿入用案内孔８と、この鍼挿入用案内孔８よりも小径で鍼１の刺入部４を刺入時に直線状に保持する鍼保持用孔９とを備える。このような構造により、肉体的な負担の軽減を図るために、鍼１の鍼体３の直径をより細くした場合でも（例えば、０．０３ｍｍ程度）、鍼１の刺入部４の刺入時に鍼体３の撓みを抑制して鍼体３を直線状に保持することができ、また、施術者の意図する鍼１の刺入角を容易に得ることができる。
また、鍼挿入用案内孔８は、鍼１の刺入部４の挿入方向に向かって漸次窄むように断面テーパ状に形成された窄み孔１１を備える。このような構造により、鍼１の鍼挿通用孔部７への挿入を、よりスムーズに行わせることができる。
さらに、保持具本体６は、平面視において、円弧形状の複数の保持部として、２分割の一側保持部１２と他側保持部１３とで構成される。また、この一側保持部１２と他側保持部１３とは、枢支機構１４によって連結される。このような構造により、刺入後に、鍼１から鍼用保持具２を容易に取り外すことができる。
【実施例２】
【００１７】
図９、図１０は、この発明の実施例２を示すものである。 
以下の実施例においては、上述の実施例１と同一機能を果たす箇所には、同一符号を付して説明する。 
この実施例２の特徴とするところは、以下の点にある。即ち、枢支機構１４は、一側保持部１２に一体の一側突出部２２と、他側保持部１３に一体の他側突出部２３と、この一側突出部２２と他側突出部２３とを連結する連結ピン２４とからなる。
このような構造により、枢支機構１４の構造を簡素化することができる。 
【産業上の利用可能性】
【００１８】
この発明に係る鍼用保持具を、各種の保持部材として用いることも可能である。 
【符号の説明】
【００１９】
１  鍼 
２  鍼用保持具 
３  鍼体 
４  刺入部 
５  鍼柄 
６  保持具本体 
７  鍼挿通用孔部 
８  鍼挿入用案内孔 
９  鍼保持用孔 
１０  開口側孔 
１１  窄み孔 
１２  一側保持部 
１３  他側保持部 
１４  枢支機構 
１５  蝶番 
１６  接合部 
１６Ａ  一側接合部位 
１６Ｂ  他側接合部位 
【図１】
2015100526.tif 000003
【図２】
2015100526.tif 000004
【図３】
2015100526.tif 000005
【図４】
2015100526.tif 000006
【図５】
2015100526.tif 000007
【図６】
2015100526.tif 000008
【図７】
2015100526.tif 000009
【図８】
2015100526.tif 000010
【図９】
2015100526.tif 000011
【図１０】
2015100526.tif 000012